(57)【要約】【課題】内部に納めるパネル体の有無及び種類を容易に変更でき低コストにデザインのバリエーションを多くすることのできる飾り窓を提供する。【解決手段】ブロック塀５５に形成した開口部５６に取付けられる略方形状の枠体２内にパネル体３を配置可能なものであって、枠体２は、開口２ａを有する方形状の正面部１１と、正面部１１の対向する二辺が後方側に延出されてなる側面構成部１３とで側面視略コ字状に形成された２つの枠材を、互いに９０度の角度をなして対向させ、両枠材１０の開口１２が連続状となると共に側面構成部１３が四周の側面を構成するように組合せビス止めして構成し、対向する枠材１０間にパネル体３を配置可能としてなる。【選択図】図７
2008184799.tif 000002
【特許請求の範囲】
【請求項１】
ブロック塀に形成した開口部に取付けられる略方形状の枠体内にパネル体を配置可能な飾り窓であって、
前記枠体は、開口を有する方形状の正面部と、該正面部の対向する二辺が後方側に延出されてなる側面構成部とで側面視略コ字状に形成された２つの枠材を、互いに９０度の角度をなして対向させ、両枠材の開口が連続状となると共に前記側面構成部が四周の側面を構成するように組合せビス止めして構成し、対向する前記枠材間にパネル体を配置可能としてなることを特徴とする飾り窓。
【請求項２】
前記枠材の正面部は正方形状に形成されると共に、前記枠体を構成する２つの枠材は同形状に形成されてなることを特徴とする請求項１記載の飾り窓。
【請求項３】
前記枠材は正面部の周面に、組合わされる枠材の側面構成部がビス止めされるビス孔を備え、該ビス孔は見込方向位置が前記パネル体の厚み分異なる２箇所に形成されることを特徴とする請求項１または２記載の飾り窓。
【請求項４】
前記枠材の側面構成部は前記正面部よりも幅狭に形成され、２つの枠材を組合せた際に前記枠体の四隅にそれぞれ段部を形成することを特徴とする請求項１〜３のいずれか１項に記載の飾り窓。
【発明の詳細な説明】
【技術分野】
【０００１】
本発明は、ブロック塀の開口部に設けられパネル体を枠体内に納めることのできる飾り窓に関し、特に２つの枠材を組合せて枠体を構成する飾り窓に関する。
【背景技術】
【０００２】
従来、住宅などの建物の周囲に設けられるブロック塀においては、装飾性を向上させると共に風通しをよくするために、穴の開いた透かしブロックを用いることがあった。この透かしブロックは、ブロック塀の閉塞感を排除する点でも有効である。近年、ブロック塀は意匠性を高めるために、ブロック塀の表面全体をモルタル等で覆い、ブロックの地肌を露出させないような施工が行われることがある。この場合には、透かしブロックの代わりに、ブロック塀の一部に開口部を設け、その開口部に装飾物を取付けることで装飾性の向上を図ることとしていた。また、開口部に設ける飾り窓も知られていた。
【発明の開示】
【発明が解決しようとする課題】
【０００３】
飾り窓は、ブロック塀の開口部に取付けられるものであって、単に円形や方形などの形状に形成された開口を有するものや、さらに開口内に装飾を施したパネル体を納めたものがあった。これらはいずれもＧＲＣ（ガラス繊維強化セメントコンクリート）などで一体的に形成されるものであった。すなわち、開口のみを有するもの、及び装飾パネル毎にそれぞれ形成されていた。しかし、従来の飾り窓では、内部に納めるパネル体の有無を変更すること、及びパネル体を納める場合にはその種類を変更することは不可能であった。また、装飾の種類毎に別々に形成する必要があるので、コストが高くなるという問題があった。
【０００４】
本発明は、上記課題を解決すべくなされたものであり、内部に納めるパネル体の有無及び種類を容易に変更でき低コストにデザインのバリエーションを多くすることのできる飾り窓を提供することを目的とする。
【課題を解決するための手段】
【０００５】
上記課題を解決するため、本発明に係る飾り窓は、ブロック塀に形成した開口部に取付けられる略方形状の枠体内にパネル体を配置可能な飾り窓であって、
前記枠体は、開口を有する方形状の正面部と、該正面部の対向する二辺が後方側に延出されてなる側面構成部とで側面視略コ字状に形成された２つの枠材を、互いに９０度の角度をなして対向させ、両枠材の開口が連続状となると共に前記側面構成部が四周の側面を構成するように組合せビス止めして構成し、対向する前記枠材間にパネル体を配置可能としてなることを特徴として構成されている。
【０００６】
また、本発明に係る飾り窓は、前記枠材の正面部は正方形状に形成されると共に、前記枠体を構成する２つの枠材は同形状に形成されてなることを特徴として構成されている。
【０００７】
さらに、本発明に係る飾り窓は、前記枠材は正面部の周面に、組合わされる枠材の側面構成部がビス止めされるビス孔を備え、該ビス孔は見込方向位置が前記パネル体の厚み分異なる２箇所に形成されることを特徴として構成されている。
【０００８】
さらにまた、本発明に係る飾り窓は、前記枠材の側面構成部は前記正面部よりも幅狭に形成され、２つの枠材を組合せた際に前記枠体の四隅にそれぞれ段部を形成することを特徴として構成されている。
【発明の効果】
【０００９】
本発明に係る飾り窓によれば、枠体は、開口を有する方形状の正面部と、正面部の対向する二辺が後方側に延出されてなる側面構成部とで側面視略コ字状に形成された２つの枠材を、互いに９０度の角度をなして対向させ、両枠材の開口が連続状となると共に側面構成部が四周の側面を構成するように組合せビス止めして構成し、対向する枠材間にパネル体を配置可能としてなることにより、枠材間に配置するパネル体の有無及び種類を、枠体毎に容易に変更でき、低コストにデザインのバリエーションを多くすることができる。また、予め成形された枠材とパネル体を組合せて構成できるので、飾り窓を簡易に形成することができる。
【００１０】
また、本発明に係る飾り窓によれば、枠材の正面部は正方形状に形成されると共に、枠体を構成する２つの枠材は同形状に形成されてなることにより、枠材を１種類用意すればよいので、低コスト化を図ることができる。
【００１１】
さらに、本発明に係る飾り窓によれば、枠材は正面部の周面に、組合わされる枠材の側面構成部がビス止めされるビス孔を備え、ビス孔は見込方向位置がパネル体の厚み分異なる２箇所に形成されることにより、ビス孔を使い分けることでパネル体を内部に納める場合と納めない場合とを容易に作り分けることができる。
【００１２】
さらにまた、本発明に係る飾り窓によれば、枠材の側面構成部は正面部よりも幅狭に形成され、２つの枠材を組合せた際に枠体の四隅にそれぞれ段部を形成することにより、ブロック塀に枠体を取付ける際に、段部にモルタルが入り込むことで、枠体の位置ずれを防止することができる。
【発明を実施するための最良の形態】
【００１３】
本発明の実施形態について図面に沿って詳細に説明する。図１には本実施形態における飾り窓を取付けたブロック塀の正面図を示している。この図に示すように、本実施形態の飾り窓１は、格子状に積まれた複数のブロック５０からなるブロック塀５５において、１つのブロック５０ａを半分の大きさとすることで形成された開口部５６に対し、方形状に形成された枠体２を納め、この枠体２内にパネル体３を納めて構成される。
【００１４】
ブロック塀５５は、住宅などの建物を囲むように設けられるもので、一方の面が建物側、すなわち敷地の内側に面し、他方の面が道路など敷地の外側に面するように配置される。図１は、敷地の外側から見た正面図を示している。ブロック塀５５の表面は、ブロック５０の地肌が露出しないように、表面モルタル５２が一面に塗布されている。この表面モルタル５２は、飾り枠１を構成する枠体２の表面も覆って、飾り窓１を構成する縁部材４の外周位置まで塗布されている。
【００１５】
図２には、本実施形態における飾り窓１の正面図を示している。枠体２はＧＲＣ材によって成形されてなり、正面視で正方形状となるように形成されている。枠体２には中央部に奥行き方向に貫通する開口２ａが形成されており、開口２ａ内にはパネル体３が納められている。パネル体３は、鋳物によって形成され、中央部に草花をモチーフとした装飾が施されている。また、枠体２の前面（敷地の外側に向かって面する表面）には、開口２ａの縁部を覆うように円形状の縁部材４が取付けられている。
【００１６】
図３には、飾り窓１の側面図を示している。この図に示すように、枠体２は２つの枠材１０を組合せてビス１４によりビス止めし形成している。図４には枠材１０の正面図を、図５には枠材１０の側面図を、図６には枠材１０の平面図を、それぞれ示している。図４に示すように、枠材１０は正面に方形状の正面部１１を備え、その中央には円形状の開口１２を備えている。また、正面部１１の前面は、平板状に形成される縁部材４を当接させビス止め固定することができるように平面状に形成されている。
【００１７】
図５に示すように、正面部１１の背面側には、正方形状の正面部１１のうち互いに対向する二辺が後方側に向かって延出された側面構成部１３が形成されている。これによって、枠材１０は側面視において略コ字状となるように形成されている。また、図６に示すように、正面部１１は前面側に面する正面部分よりも後方部分をやや幅狭とする段差を有するように形成されており、側面構成部１３も正面部１１の正面部分よりも幅狭となるように形成されている。
【００１８】
また、枠材１０の正面部１１の側面には、図５に示すように第１のビス孔１１ａと第２のビス孔１１ｂとが形成されている。第１のビス孔１１ａと第２のビス孔１１ｂは、枠材１０同士を連結する際のビス孔として用いられるもので、このいずれか一方にビスが挿通される。ここで、第１のビス孔１１ａと第２のビス孔１１ｂは、正面部１１の側面において奥行き方向にパネル体３の厚み分だけ異なる位置に配置されている。一方、図６に示すように、側面構成部１３にも、２つのビス孔１３ａが形成されている。これらのビス孔１３ａは、奥行き方向において同じ位置に配置されている。枠材１０を連結するビスは、いずれかのビス孔１３ａと、それと連通する第１のビス孔１１ａまたは第２のビス孔１１ｂのいずれかに挿通されて、枠材１０同士を連結する。
【００１９】
図７には、内部にパネル体３を納める場合における、２つの枠材１０を組合せた枠体２の斜視図を示している。また、図８には、枠体２の分解斜視図を示している。これらの図に示すように、同形状に形成された２つの枠材１０は、互いに９０度の角度をなして対向配置される。また、両枠材１０の開口１２が連続状となり、また側面構成部１３が枠体２の四周の側面を構成するように組み合わされ、ビス１４によって固定される。
【００２０】
枠体２の内部にパネル体３を納める場合は、枠体２内にパネル体３の厚み分に相当する隙間を設ける必要がある。このため、枠材１０をビス止めするにあたっては、枠材１０の側面構成部１３に形成された一方のビス孔１３ａと、枠材１０の正面部１１の側面に形成された第１のビス孔１１ａとを連通させ、これにビス１４を挿通し固定する。この際、正面部１１の第２のビス孔１１ｂは、第１のビス孔１１ａとは奥行き方向に異なる位置に形成されていることにより、側面構成部１３の他方のビス孔１３ａとは連通しない。このように枠材１０を連結することで、開口１２内の中央部には、図７に示すように四周に渡ってパネル体３の厚み分の隙間が生じる。なお、実際にパネル体３を納めて飾り窓１を構成する場合には、予め一方の枠材１０にパネル体３を固定しておき、その状態で他方の枠材１０を組合せてビス止め固定し、枠体２を形成する。
【００２１】
一方、枠体２の内部にパネル体３を納めず、開口１２のみを有した飾り窓とする場合については、図９に示している。この図に示すように、枠材１０の側面構成部１３に形成された一方のビス孔１３ａと、枠材１０の正面部１１の側面に形成された第２のビス孔１１ｂとを連通させ、これにビス１４を挿通し固定すると、対向する２つの枠材１０は互いに当接した状態となり、図７に示すような隙間は生じない。このように、第１のビス孔１１ａと第２のビス孔１１ｂを、奥行き方向にパネル体３の厚み分だけ異なる位置に形成し、いずれか一方を用いて枠材１０をビス止めすることで、パネル体３を設ける場合と設けない場合の両方に対応した枠材とすることができる。
【００２２】
また、図７及び図９に示すように、側面構成部１３は正面部１１の前面部分よりも幅狭に形成されていることにより、２つの枠材１０を組合せた際に、枠体２の四隅部分にそれぞれ段部１５が形成される。段部１５には、枠体２をブロック塀５５の開口部５６にモルタルによって固定する際、モルタルが入り込むことにより、枠体２が奥行き方向及び左右方向に位置ずれすることを防止することができる。
【００２３】
図１０には、パネル体３の正面図を示している。この図に示すように、パネル体３は外形を正方形状に形成され、中央部には草花をモチーフとした装飾部２０が形成されている。また、四隅近傍には枠材１０に対してビス止め固定するためのビス孔２１がそれぞれ形成されている。さらに、装飾部２０の縁部分には、パネル体３が枠体２内に納められた状態で、全周に渡って開口１２の内周面よりも開口中心側に向かって突出するパネル縁部２２が形成されている。
【００２４】
図１１には、縁部材４の正面図を示している。この図に示すように、縁部材４は外形を円形に形成され、中央には開口３０が形成される。また、開口３０の内周縁部には、全周に渡って装飾が施された縁装飾部３１が形成される。この縁装飾部３１は、縁部材４が枠体２に取付けられた状態で、全周に渡って開口１２の内周面よりも開口中心側に向かって突出するように形成される。さらに、縁部材４の周縁部には、９０度おきに枠体２に固定するためのビスを挿通するビス孔３２が形成されている。
【００２５】
次に、飾り窓１が開口部５６に取付けられたブロック塀５５について説明する。図１２には、飾り窓１が納められたブロック塀５５の横断面図を示している。この図に示すように、ブロック塀５５を構成するブロック５０間には、鉄筋５３が配置されると共に、充填モルタル５１が充填されて、ブロック５０同士を接着させると共に、ブロック５０と鉄筋５３を一体化している。また、ブロック５０の両側の表面には、前述のようにそれぞれ表面モルタル５２が塗布されている。飾り窓１を構成する枠体２とブロック５０との間にも、適宜鉄筋５３が配置されると共に、充填モルタル５１が充填されて、ブロック５０と枠体２とを接着させている。
【００２６】
表面モルタル５２は、枠体２の開口２ａの内周面にも設けられる。開口２ａの内周面のうち、パネル体３よりも敷地の内側の領域については、開口２ａの端部からパネル体３のパネル縁部２２の面に渡って表面モルタル５２が設けられる。また、開口２ａの内周面のうち、パネル体３よりも敷地の外側の領域については、縁部材４の縁装飾部３１の面からパネル体３のパネル縁部２２の面に渡って表面モルタル５２が設けられる。
【００２７】
パネル体３よりも敷地の内側の領域に設けられる表面モルタル５２は、ブロック５０の表面に設けられる表面モルタル５２と連続状となっており、パネル体３の部分ではパネル縁部２２がコテのあたりの面となっているので、モルタルの施工を容易なものとすることができる。また、パネル体３よりも敷地の外側の領域では、パネル体３の部分ではパネル縁部２２が、縁部材４の部分では縁装飾部３１が、それぞれコテのあたりの面となっている。すなわち、縁装飾部３１とパネル縁部２２及び開口２ａの内周面により、開口内に全周に渡る凹状の領域が形成されているので、その間にモルタルを施工する際に、パネル縁部２２及び縁装飾部３１がコテのあたりの面となって、モルタルの施工を容易なものとすることができる。なお、ブロック５０の敷地の外側面に塗布される表面モルタル５２は、縁部材４の周縁部まで設けられる。縁部材４は、ブロック５０の表面よりも若干突出するように設けられているので、その外周面をコテのあたりの面とすることができ、モルタルの施工を容易なものとしている。
【００２８】
次に、飾り窓１を図１２とは異なるサイズのブロック５０によって構成されたブロック塀５５に取付けた場合について説明する。図１３には、枠体２よりも奥行きの大きいブロック５０によって構成されたブロック塀５５に取付けられた飾り窓１の横断面図について示している。このブロック塀５５においても、ブロック５０間には鉄筋５３が配置されると共に、充填モルタル５１が充填される。また、ブロック５０の両側の表面には、それぞれ表面モルタル５２が塗布されている。
【００２９】
飾り窓１を構成する枠体２の奥行き方向幅は、ブロック５０の奥行き方向幅より小さいため、枠体２は開口部５６の奥行き方向中央より敷地の外側に偏して配置されている。枠体２のうちパネル体３より敷地の外側の領域については、図１２に示したものと同様に表面モルタル５２が設けられる。一方、枠体２のうちパネル体３より敷地の内側の領域には、ブロック塀５５の開口部５６の内周面及び枠体２の開口２ａの内周面に、ブロック５０の表面から連続状となるように表面モルタル５２が設けられる。また、この場合にも、パネル体３のパネル縁部２２がコテのあたりの面となるように、当該位置まで表面モルタル５２が設けられる。
【００３０】
このように、枠体２の内周面にも表面モルタル５２を設けるようにしたので、枠体２とブロック５０が一体的な外観を奏するようにすることができ、意匠性の向上を図ることができる。また、モルタルの施工にあたっては、縁部材４の外周面、縁部材４の縁装飾部３１、及びパネル体３のパネル縁部２２が、それぞれコテのあたりの面となるため、施工性のよいブロック塀とすることができる。また、枠体２の一方の端面に縁部材４が設けられているので、パネル体３と異なる奥行き方向位置において、縁部分の装飾をなすことができて、飾り窓１に立体的でかつ多様なデザイン性を持たせることができる。
【００３１】
本実施形態では、枠体２にパネル体３及び縁部材４を設けたものについて示したが、これらは、デザインの要請に応じて適宜設ける、あるいは設けないようにすることができる。図１４には、枠体２にパネル体３のみを設けた場合の正面図を示している。この図に示すように、パネル体３のみを設けた枠体２は、正面視においてパネル体３のパネル縁部２２が露出した状態となっている。また、図１５には、枠体２にパネル体３と縁部材４のいずれも設けない場合の正面図を示している。この場合には、枠体２の奥行き方向に貫通した開口２ａがそのまま露出することとなる。
【００３２】
以上、本発明の実施形態について説明したが、本発明の適用は本実施形態に限られるものではなく、その技術的思想の範囲内において様々に適用されうるものである。例えば、本実施形態では、ブロック塀５５にブロック５０の半分の大きさの開口部５６を設け、この開口部５６の大きさに適合する枠体２を有した飾り窓１としたが、飾り窓１の大きさはこれに限られず、例えばブロック１個分の開口部に適合する大きさとしてもよいし、複数のブロックに渡る大きさの開口部に適合する大きさとしてもよい。また、本実施形態においては、縁部材４を枠体２の端面のうち、敷地の外側の面に取付けることとしたが、逆に敷地の内側の端面に取付けることとしてもよい。さらに、パネル体３の装飾部２０及び縁部材４の縁装飾部３１は、様々にデザインを施すことができ、それによって飾り窓１に多様なデザイン性を持たせることができる。
【図面の簡単な説明】
【００３３】
【図１】本実施形態における飾り窓を取付けたブロック塀の正面図である。
【図２】飾り窓の正面図である。
【図３】飾り窓の側面図である。
【図４】枠材の正面図である。
【図５】枠材の側面図である。
【図６】枠材の平面図である。
【図７】内部にパネル体を納める場合における２つの枠材を組合せた枠体の斜視図である。
【図８】枠体の分解斜視図である。
【図９】内部にパネル体を納めない場合における２つの枠材を組合せた枠体の斜視図である。
【図１０】パネル体の正面図である。
【図１１】縁部材の正面図である。
【図１２】飾り窓が納められたブロック塀の横断面図である。
【図１３】枠体よりも奥行きの大きいブロックによって構成されたブロック塀に取付けられた飾り窓の横断面図である。
【図１４】枠体にパネル体のみを設けた場合の正面図である。
【図１５】枠体にパネル体と縁部材のいずれも設けない場合の正面図である。
【符号の説明】
【００３４】
１    飾り窓
２    枠体
２ａ  開口
３    パネル体
４    縁部材
１０    枠材
１１    正面部
１２    開口
１３    側面構成部
１５    段部
２０    装飾部
２２    パネル縁部
３０    開口
３１    縁装飾部
５０    ブロック
５１    充填モルタル
５２    表面モルタル
５５    ブロック塀
５６    開口部
【図１】
2008184799.tif 000003
【図２】
2008184799.tif 000004
【図３】
2008184799.tif 000005
【図４】
2008184799.tif 000006
【図５】
2008184799.tif 000007
【図６】
2008184799.tif 000008
【図７】
2008184799.tif 000009
【図８】
2008184799.tif 000010
【図９】
2008184799.tif 000011
【図１０】
2008184799.tif 000012
【図１１】
2008184799.tif 000013
【図１２】
2008184799.tif 000014
【図１３】
2008184799.tif 000015
【図１４】
2008184799.tif 000016
【図１５】
2008184799.tif 000017